(57)【要約】【課題】大腿部による幅方向の圧縮に対して、吸収体が柔軟に変形して、着用者に違和感を与えにくく、また、ナプキンの側部のヨレが防止されて、防漏性も低下しにくい吸収性物品を提供すること。【解決手段】表面シート２ａ、裏面シート３及び吸収体４を備えた吸収性物品１であって、肌対向面に、表面シート２ａ及び吸収体４が、非肌対向面側に向かって一体的に圧搾されてなる圧搾溝６が形成されており、圧搾溝６として、吸収性物品の長手方向に延びる中央線の両側それぞれに、吸収性物品の長手方向に沿って延びる縦溝６ｓを有しており、該縦溝６ｓは、底部に高圧搾部６０と該高圧搾部を囲繞する低圧搾部６７とを有しており、高圧搾部６０は、真円形状の第１高圧搾部６１と、長軸及び短軸を有し該長軸の長さが第１高圧搾部の直径よりも長い形状の第２高圧搾部６２とを含み、第２高圧搾部６２は、その長軸が縦溝６ｓの幅方向と非平行となるように形成されている。【選択図】図３
2015097717.tif 000002
【特許請求の範囲】
【請求項１】
表面シート、裏面シート、及びこれら両シート間に位置する吸収体を備える吸収性物品であって、
肌対向面に、前記表面シート及び前記吸収体が、非肌対向面側に向かって一体的に圧搾されてなる圧搾溝が形成されており、
前記圧搾溝として、吸収性物品の長手方向に延びる中央線の両側それぞれに、吸収性物品の長手方向に沿って延びる縦溝を有しており、該縦溝は、底部に高圧搾部と該高圧搾部を囲繞する低圧搾部とを有しており、
前記高圧搾部は、真円形状の第１高圧搾部と、長軸及び短軸を有し該長軸の長さが第１高圧搾部の直径よりも長い形状の第２高圧搾部とを含み、
前記第２高圧搾部は、その長軸が前記縦溝の幅方向と非平行となるように形成されている、吸収性物品。
【請求項２】
前記第２高圧搾部は、その長軸と前記縦溝の長手方向中心線とが平行である、請求項１に記載の吸収性物品。
【請求項３】
前記第１高圧搾部と前記第２高圧搾部とが、前記縦溝の長手方向に交互に配置されている、請求項１又は２に記載の吸収性物品。
【請求項４】
前記縦溝において、前記高圧搾部の総面積が前記低圧搾部の総面積よりも小さい、請求項１〜３の何れか１項に記載の吸収性物品。
【発明の詳細な説明】
【技術分野】
【０００１】
本発明は、生理用ナプキン、失禁パッド等の吸収性物品に関する。
【背景技術】
【０００２】
従来、生理用ナプキン等の吸収性物品においては、肌対向面に、表面シートと吸収体とを一体的に圧搾して防漏溝を形成することが行われている。また、その防漏溝の底部に、圧縮の程度が大きい高圧搾部と圧搾の程度が相対的に低い低圧搾部とを形成することも行われている。
例えば、特許文献１には、防漏溝内に、複数の高圧搾部を、溝に隣接する未圧搾部と点で接触する接触部を有するように形成することが記載されている。
また、特許文献２には、吸収性物品の長手方向に延びる縦溝の底部に、高圧搾部と中圧搾部と低圧搾部とを形成するとともに、その低圧搾部を、縦溝を横断するように形成することが記載されている。
【先行技術文献】
【特許文献】
【０００３】
【特許文献１】特開２０１１−６２４７５号公報
【特許文献２】特開２０１１−２２９９０７号公報
【発明の概要】
【発明が解決しようとする課題】
【０００４】
ところで、生理用ナプキン等の吸収性物品は、着用者による着用中に、大腿部によって幅方向に圧縮される力を繰り返し受けるが、幅方向の圧縮に抵抗するものがあると着用者に違和感を与えやすい。
この点、特許文献１の吸収性物品における防漏溝内の高圧搾部は、溝以外の未圧搾部に接触する接触点を有するため、防漏溝が幅方向に圧縮される際にその圧縮に抵抗する作用を有する。また、特許文献２の吸収性物品においては、縦溝内に、縦溝を横断する低圧搾部に加えて、縦溝を横断する高圧搾部も存在し、その高圧搾部が、防漏溝が幅方向に圧縮される際にその圧縮に抵抗する作用を有する。
そのため、特許文献１及び２の吸収性物品においては、圧縮に対する柔軟性や着用中の使用感の点で改善すべき点があった。
他方、溝内の全域において圧搾の程度を弱くすれば、幅方向の圧縮に対して柔軟に変形する溝部となり得るが、溝部の保形性も低下することになり、吸収性物品の側部のヨレ防止効果が得られなくなり、ヨレや皺による防漏性の低下や違和感の発生とった不都合が生じ易くなる。
【０００５】
したがって本発明の課題は、前述した従来技術が有する欠点を解消し得る吸収性物品を提供することにある。
【課題を解決するための手段】
【０００６】
本発明は、表面シート、裏面シート、及びこれら両シート間に位置する吸収体を備える吸収性物品であって、肌対向面に、前記表面シート及び前記吸収体が、非肌対向面側に向かって一体的に圧搾されてなる圧搾溝が形成されており、前記圧搾溝として、吸収性物品の長手方向に延びる中央線の両側それぞれに、吸収性物品の長手方向に沿って延びる縦溝を有しており、該縦溝は、底部に高圧搾部と該高圧搾部を囲繞する低圧搾部とを有しており、前記高圧搾部は、真円形状の第１高圧搾部と、長軸及び短軸を有し該長軸の長さが第１高圧搾部の直径よりも長い形状の第２高圧搾部とを含み、前記第２高圧搾部は、その長軸が前記縦溝の幅方向と非平行となるように形成されている、吸収性物品を提供するものである。
【発明の効果】
【０００７】
本発明の吸収性物品によれば、大腿部による幅方向の圧縮に対して、吸収体が柔軟に変形して、着用者に違和感を与えにくく、また、ナプキンの側部のヨレが防止されて、防漏性も低下しにくい。
【図面の簡単な説明】
【０００８】
【図１】図１は、本発明の第１実施形態である生理用ナプキンを示す平面図である。
【図２】図２は、図１のＩＩ−ＩＩ線断面図である。
【図３】図３（ａ）は、図１のＤ部拡大図であり、図３（ｂ）は、図３（ａ）の一部を更に拡大して示す拡大平面図であり、図３（ｃ）は、図３（ａ）のＩＩＩ−ＩＩＩ線断面図である。
【図４】図４は、図１のＦ部拡大図である。
【図５】図５は、他の実施形態における第２高圧縮部の平面視形状を示す図である。
【図６】図６は、他の実施形態における図３（ａ）相当図である。
【発明を実施するための形態】
【０００９】
以下本発明を、その好ましい実施形態に基づき図面を参照しながら説明する。
本発明の吸収性物品の第１実施形態としての生理用ナプキン１（以下、単にナプキン１ともいう）は、就寝時の使用に適した夜用のナプキンであり、全長が３０ｃｍ以上であることが好ましいものである。
ナプキン１は、図１に示すように、前後方向に長い形状の吸収性本体５と、一対のウイング部７，７と、一対の後方フラップ部８，８とを有している。生理用ナプキン等の吸収性物品に関し、「前後方向」とは、着用時に着用者の前後方向と一致する方向である。
ナプキン１は、その前後方向Ｘに、前方部Ａ、液排泄部対向部Ｂ及び後方部Ｃを有しており、液排泄部対向部Ｂにおける吸収性本体５の左右両側に一対のウイング部７，７、後方部Ｃにおける吸収性本体５の左右両側に一対の後方フラップ部８，８を有している。
【００１０】
本発明の吸収性物品において、排泄部対向部Ｂは、幅方向の中央部に、着用者の液排泄部（膣口等）が対向配置される部分であり、前方部Ａは、液排泄部対向部Ｂより着用者の前側（腹側）に配される部分であり、後方部Ｂは、液排泄部対向部Ｂより着用者の背中側に配される部分である。排泄部対向部Ｂは、本実施形態のナプキン１のようにウイング部を有する場合には、吸収性物品の前後方向（吸収性本体の長手方向に同じ。図中のＸ方向）においてウイング部を有する領域（ウイング部の前後方向一方側の付け根と他方側の付け根とに挟まれた領域）である。ウイング部を有しない吸収性物品における排泄部対向部は、吸収性物品が３つ折りの個装形態に折り畳まれた際に生じる、該吸収性物品を横方向（吸収性物品の幅方向、図中のＹ方向）に横断する２本の折曲線（図示せず）について、該吸収性物品の縦方向の前端から数えて第１折曲線と第２折曲線とに囲まれた領域である。また、本明細書において、肌対向面は、吸収性物品又はその構成部材における着用時に着用者の肌側に向けられる面であり、非肌対向面は、吸収性物品又はその構成部材における着用時に着用者の肌側とは反対側（衣類側）に向けられる面である。
【００１１】
ナプキン１は、図２に示すように、肌対向面を形成する肌側シート２、非肌対向面を形成する裏面シート３、及びこれら両シート２，３間に配置された吸収体４を備えている。肌側シート２は、液透過性の表面シート２ａ及びその両側に接合された一対の立体ガード形成用シート２ｂ，２ｂを備えている。液透過性の表面シート２ａは、吸収性本体５の幅方向の中央部に、吸収性本体５の全長に亘るように配されている。立体ガード形成用シート２ｂは、吸収性本体５の幅方向中央側に位置に外方に向かって折り返された折り返し部２１を有し、該折り返し部２１からやや幅方向の外方に位置する接合部２２において表面シート２ａ上に接合されている。立体ガード形成用シート２ｂは、立体ガードの自由端を形成する側縁部２３の近傍に立体ガード形成用の弾性部材２４を有しており、着用時には、その弾性部材２４の収縮力により、液排泄部対向部Ｂにおける前記接合部２２から側縁部２３までの間が着用者の肌側に向かって起立して立体ガード１０を形成する。また、本実施形態のナプキン１では、立体ガード１０は、前方部Ａ及び後方部Ｂにおいては、立体ガード形成シート２ｂが表面シート側に固定されて、着用者側に起立しない非起立部分を備えている。
【００１２】
一対のウイング部７，７及び一対の後方フラップ部８，８は、吸収体４の両側縁から延出した立体ガード形成用シート２ｂ及び裏面シート３からなる。一対のウイング部７それぞれの裏面シート３からなる面には、ショーツのクロッチ部の非肌対向面に固定するためのウイング部粘着部（図示せず）が設けられ、吸収性本体５の非肌対向面には、該本体５をショーツの内面に固定するための本体粘着部（図示せず）が設けられている。後方フラップ部８は、着用時に、ショーツの内面（肌側に向けられる面）上に配される。後方フラップ部８の裏面シート３からなる面にも、ショーツの内面に固定するための粘着部が設けられていることが好ましい。肌側シート２と裏面シート３とは、吸収体４の周縁部より外方が接着剤で互いに接合されていると共にナプキン１の周縁部において熱シールにより接合されている。
【００１３】
ナプキン１における吸収体４は、パルプ繊維等の繊維材料からなる繊維集合体又は該繊維集合体に高吸水性ポリマーを保持させてなる吸収性コア４１と、吸収性コア４１の上下両面を被覆するコアラップシート（図示せず）とからなる。コアラップシートは、吸収性コア４１の形成材料の漏れ出しを防止したり、吸収体の保形性を高める目的で使用される。コアラップシートとしては、ティッシュペーパーや透水性の不織布等が用いられる。表面シート２ａと、吸収性コア４１の肌対向面側を被覆するコアラップシートとの間、及び裏面シート３と吸収性コア４１の非肌対向面側を被覆するコアラップシートとの間は、ドット、スパイラル、ストライプ等のパターン塗工された接着剤により互いに接合されていることが好ましい。
【００１４】
本実施形態のナプキン１における吸収性本体５の肌対向面（表面シート２ａ側の面）には、図１及び図２に示すように、表面シート２ａ及び吸収体４が、裏面シート３側（非肌対向面側）に向かって一体的に圧搾されてなる圧搾溝６が形成されており、また、圧搾溝６として、ナプキン１の長手方向Ｘに沿って延びる縦溝６ｓ，６ｓ’と、ナプキン１の横方向Ｙに沿って延びる横溝６ａ，６ｂ，６ｃとを有している。圧搾溝６は、熱を伴うか又は伴わない圧搾加工（いわゆるエンボス加工）によって形成されている。圧搾溝６においては、表面シート２ａと吸収体４とが一体化（結合）している。なお、本実施形態のナプキン１は、図１に示すように、長手方向に延びる中心線ＣＬに対して左右対称に形成されている。
【００１５】
本実施形態のナプキン１は、図１に示すように、ナプキン１の長手方向Ｘに沿って延びる縦溝として、排泄部対向部Ｂに形成された一対の第１縦溝６ｓ，６ｓを有している。一対の第１縦溝６ｓ，６ｓは、ナプキン１の長手方向に延びる中央線ＣＬの両側に一対形成されており、それぞれ、プキン１の長手方向Ｘに沿って延びている。
また、本実施形態のナプキン１は、図１に示すように、ナプキン１の長手方向Ｘに沿って延びる縦溝として、後方部Ｃに形成された一対の第２縦溝６ｓ’，６ｓ’を有している。一対の第２縦溝６ｓ’，６ｓ’も、ナプキン１の長手方向に延びる中央線ＣＬの両側に一対形成されており、それぞれ、プキン１の長手方向Ｘに沿って延びている。
なお、本発明において、吸収性物品の長手方向に沿って延びる縦溝は、該長手方向に延びる中央線ＣＬと平行なものであっても良いが、図１に示すように、吸収性物品の幅方向の外方に向かって凸の円弧状をなしていても良いし、反対に、前記中央線ＣＬ側に向かって凸の円弧状をなしていても良い。また、排泄部対向部Ｂに形成された一対の縦溝６ｓ，６ｓとして、排泄部対向部Ｂから後方部Ｃ及び／前方部Ａの一部に亘って延在する縦溝を設けても良いし、排泄部対向部Ｂの範囲内のみに存在する縦溝を形成しても良い。
【００１６】
また、本実施形態のナプキン１は、図１に示すように、ナプキン１の幅方向Ｙに沿って延びる縦溝として、前方部Ａ及び後方部Ｃに、それぞれ横方向Ｙに延びるように形成された前方溝６ａ及び後方溝６ｂと、前方溝６ａと後方溝６ｂとの間に形成された中間横溝６ｃとを有している。前方溝６ａは、ナプキン１の前方に向かって凸の円弧状をなしており、後方溝６ｂ及びた中間横溝６ｃは、ナプキン１の後方に向かって凸の円弧状をなしている。
【００１７】
本実施形態のナプキン１における圧搾溝６は、何れも、図３（ａ）及び図３（ｂ）に示すように、底部に、高圧搾部６０と、高圧搾部６０を囲繞する低圧搾部６７とを有している。その高圧搾部６０においては、図３（ｃ）に示すように、表面シート２ａ及び吸収体４が、低圧搾部６７におけるよりも強く圧搾されており、吸収体４は、高圧搾部６０における密度が低圧搾部６７における密度よりも高くなっている。また、吸収体４は、低圧搾部６７における密度が、圧搾溝６以外の部分における密度よりも高くなっている。
【００１８】
一対の第１縦溝６ｓ，６ｓについて説明すると、一対の第１縦溝６ｓ，６ｓは、それぞれ、図３（ａ）及び図３（ｂ）に示すように、高圧搾部６０として、真円形状の第１高圧搾部６１と、長軸６３及び短軸６４を有し該長軸６３の長さが第１高圧搾部６１の直径６５よりも長い形状の第２高圧搾部６２とを含んでいる。
第１高圧搾部６１と第２高圧搾部６２とは、縦溝６ｓの長手方向に直列に配置されており、また、縦溝６ｓの長手方向に交互に配置されている。
第１高圧搾部６１及び第２高圧搾部６２は、相互間の間隔Ｌ１が、好ましくは１ｍｍ以下、より好ましくは２ｍｍ以下であり、また、好ましくは２０ｍｍ以下、より好ましくは  １０ｍｍ以下であり、また、好ましくは１ｍｍ以上２０ｍｍ以下、より好ましくは２ｍｍ以上１０ｍｍ以下である。
【００１９】
本実施形態のナプキン１においては、後方部Ｃに形成された第２縦溝６ｓ’，６ｓ’も、第１高圧搾部６１と第２高圧搾部６２との間隔Ｌ１が狭い以外は、縦溝６ｓ，６ｓと同様の構成を有している。
【００２０】
本実施形態のナプキン１によれば、着用時に、着用者の大腿部間に挟まれる液排泄部対向部Ｂに形成された一対の縦溝６ｓ，６ｓが、高圧搾部６０と、高圧搾部６０を囲繞する低圧搾部６７とを有するため、着用者による着用中に、大腿部によって幅方向に圧縮される力を受けたときに、高圧搾部６０が突っ張り棒のようには働かず、高圧搾部６０の周囲に存在する低圧搾部６７がクッションとなって、ナプキン１の幅方向からの圧力を柔軟に受け止める。
しかも、低圧搾部６７に囲繞された高圧搾部６０として、真円状の第１高圧搾部６１が幅方向外側から加わった力を曲面で受け止めるので、縦溝に柔軟性を与え、不可逆的な折れが発生することを抑制することができる。これに加えて、一方向に長い形状の第２高圧搾部６２を、その長軸６３が吸収性物品の幅方向と非平行になるように有するため、縦溝６ｓが、その長手方向の収縮や曲げに対して適度な剛性を有するものとなり、縦溝６ｓの保形性が向上し、ナプキン１の側部にヨレが生じることも防止される。そのため、ヨレや皺による防漏性の低下や違和感の発生とった不都合も生じにくくなる。特に、縦溝の幅方向外方に立体ガード１０の起立部分を備えている場合においては、縦溝６ｓの長手方向への折れに対する抵抗性を高めることができるので、排泄部対向部Ｂの吸収体が着用者の肌にフィットする形状を着用中において保ちやすくなる。
このようにして、本実施形態のナプキン１によれば、大腿部から加えられる幅方向内向きの力による幅方向の圧縮に対して、縦溝６ｓの幅方向及び長手方向から加わる力への適度な抵抗力と柔軟性のバランスによって、吸収体が着用者肌へフィットしながらも動作に対して柔軟に変形可能なので、着用者に違和感を与えにくく、また、ナプナプキンの側部のヨレが防止されて、防漏性も低下しにくい。
【００２１】
上述した効果の一又は二以上が一層確実に奏されるようにする観点から、本発明の吸収性物品は、以下の一又は二以上の構成を有することが好ましい。
【００２２】
第１高圧搾部６１は、真円であることが好ましいが、若干の変形形状は許容する。
第１高圧搾部６１の形状において、真円度（ＪＩＳ  Ｂ  ０６２１−１９８４参照）を最外周円の半径で割った値が０．２以下、特に０．１５以下であることが好ましい。なお真円度は、第１圧搾部６１をなす円形状体に対して、最小二乗法で平均円の中心を求め、該中心から最も遠方にある点に外接する最外周円と、最も近方にある点に内接する最内周円との、同心の二つの幾何学的円で挟んだ半径差で表す。
また、第１高圧搾部６１が楕円形状のように、長軸と短軸を有する形状である場合には、その比（長軸／短軸）Ｆ１が１．４以下、特に１．１以下であることが好ましい。また、比Ｆ１は第２高圧搾部６２の同比Ｆ２よりも小さいことが必要であり、Ｆ１／Ｆ２が０．５以下、特に０．３以下であることが、縦溝６ｓの柔軟性と液拡散性の観点から好ましい。
【００２３】
第１高圧搾部６１等の高圧搾部６０は、圧搾溝６に隣接する圧搾溝６以外の部分６８までの最短距離Ｌ６〔図３（ｂ）参照〕が、圧搾溝６の全幅Ｗの、好ましくは１５％以上、より好ましくは２０％以上であり、また、好ましくは４０％以下、より好ましくは３０％以下であり、また、好ましくは１５％以上４０％以下、より好ましくは２０％以上３０％以下である。このようにすることで、圧搾溝６全体の柔らかさと液拡散性を両立することが容易となる。
第１高圧搾部６１等の高圧搾部６０は、圧搾溝６に隣接する圧搾溝６以外の部分６８までの最短距離Ｌ６〔図３（ｂ）参照が、好ましくは０．１ｍｍ以上、より好ましくは０．２ｍｍ以上であり、また、好ましくは２ｍｍ以下、より好ましくは１ｍｍ以下であり、また、好ましくは０．１ｍｍ以上２ｍｍ以下、より好ましくは０．２ｍｍ以上１ｍｍ以下である。
【００２４】
第１縦溝６ｓ及び第２縦溝６ｓ’のそれぞれにおける、第２高圧搾部６２は、輪郭が、曲線のみ、又は曲線及び直線からなり、輪郭に角部を有しないことが、柔軟な印象と感触を与える観点から好ましい。
そのような形状としては、本実施形態のような、長円状〔図３（ｂ）参照〕や、図５に示すような楕円形や鶏の卵型（長軸方向の一端が他端側より幅が急峻に狭まった形状）等が挙げられる。また、長軸６３の長さと短軸６４の長さの比（長軸６３の長さ／短軸６４の長さ）は、好ましくは１．５以上、より好ましくは２以上であり、また、好ましくは１０以下、より好ましくは５以下であり、また、好ましくは１．５以上１０以下、より好ましくは２以上５以下である。このようにすることで、圧搾溝６の、縦方向に加わった力に対する抵抗性が高まるとともに、吸収性物品の長手方向への液拡散性が高まる。
また、第２高圧搾部６２の長軸６３の長さは、第１高圧搾部６１の直径の、好ましくは１．１倍以上、より好ましくは１．５倍以上であり、また、好ましくは１０倍以下、より好ましくは５倍以下であり、また、好ましくは１．１倍以上１０倍以下、より好ましくは１．５倍以上５倍以下である。
【００２５】
また、第１縦溝６ｓ及び第２縦溝６ｓ’のそれぞれにおいて、第２高圧搾部６２は、その長軸６３が、その縦溝６ｓ，６ｓ’の幅方向と非平行となるように形成されているため、ヨレ防止性が向上する。
同様の観点から、第１縦溝６ｓ及び第２縦溝６ｓ’の第２高圧搾部６２は、それぞれの長軸６３と、各縦溝６ｓ，６ｓ’の長手方向中心線６６とのなす角度が４５°未満であることが好ましく、それぞれの長軸６３が、各縦溝６ｓ，６ｓ’の長手方向中心線６６と平行であることが更に好ましい。ここで、長軸６３が、縦溝６ｓ，６ｓ’の長手方向中心線６６と平行であるという場合には、完全に平行である場合に加えて、長軸６３と縦溝６ｓ，６ｓ’の長手方向中心線６６とのなす角度が５°未満である場合も含まれる。
【００２６】
生理用ナプキンの長手方向に延びる縦溝６ｓ，６ｓ’のそれぞれにおいて、第１高圧搾部６１と第２圧搾部６２とは、縦溝の長手方向に１個ずつ交互に配置されていることが、柔軟性の観点から好ましい。しかしながら、これに制限されるものではなく、
交互に配置されている第１高圧搾部６１及び第２高圧搾部６２それぞれが２個以上連続して配置されていても良い。
【００２７】
生理用ナプキンの長手方向に延びる縦溝６ｓ，６ｓ’のそれぞれにおいて、高圧搾部６０の総面積が低圧搾部６７の総面積よりも小さいことが、柔軟性と体液の縦方向拡散性の観点から好ましい。
また、高圧搾部６０の総面積は、低圧搾部６７の総面積に対して、好ましくは２０％以上、より好ましくは３０％以上であり、また、好ましくは９０％以下、より好ましくは８０％以下であり、また、好ましくは２０％以上９０％以下、より好ましくは３０％以上８０％以下である。
高圧搾部６０の総面積及び低圧搾部６７の総面積は、排泄部対向部Ｂにおける縦溝６ｓ，６ｓ’の全長に存在する高圧搾部６０の総面積と低圧搾部６７の総面積を計測する。
【００２８】
また、表面シート２ａ及び吸収体４の合計厚みは、高圧搾部６０における厚みＴ１が、低圧搾部における厚みＴ２の、好ましくは１０％以上、より好ましくは２０％以上であり、また、好ましくは９０％以下、より好ましくは８０％以下であり、また、好ましくは１０％以上９０％以下、より好ましくは２０％以上８０％以下である。
また、表面シート２ａ及び吸収体４の合計厚みは、高圧搾部６０における厚みＴ１が、圧搾溝６に隣接する部位における厚みＴ３の好ましくは８０％以下、より好ましくは７０％以下であり、また、好ましくは２０％以上、より好ましくは３０％以上であり、また、好ましくは２０％以上８０％以下、より好ましくは３０％以上７０％以下である。
【００２９】
前述したように、本実施形態のナプキン１においては、伸長状態において、後方部Ｃに形成された第２縦溝６ｓ’，６ｓ’は、第１縦溝６ｓ、６ｓよりも、第１高圧搾部６１と第２高圧搾部６２との間隔Ｌ１が狭い。第１縦溝６ｓ、６ｓの左右外方には立体ガード１０，１０の起立部が設けられていて、第１溝６ｓの高圧搾部間の低圧搾部６７が縦方向に収縮しやすくなっている。そのため、高圧搾部６０の間隔を十分に空けることによって低圧搾部による第１縦溝６ｓの柔軟性を確保している。これに対して後方部Ｃでは、第２縦溝６ｓ'の幅方向外方に立体ガード１０、１０の非起立部が位置しているので、低圧搾部６７が縦方向に収縮しにくくなっている。後方部Ｃは着用者の臀部と相対する部分であるため、幅方向に十分な空間を確保することが好ましく、立体ガードの非起立部を配し、かつ、高圧搾部の間隔を狭めることで、就寝時に臀部周りから排泄物が漏れ出ることを防いでいる。第２縦溝６ｓ'における高圧搾部６０間の間隔Ｌ１'は、１ｍｍ以上２０ｍｍ以下、特に２ｍｍ以上１０ｍｍ以下であることが好ましい。
【００３０】
表面シート２ａ、立体ギャザー形成用シート２ｂ、裏面シート３としては、当該技術分野において従来用いられてきたものと同様のものを特に制限なく用いることができる。例えば、表面シート２ａとしては、液透過性を有する不織布や、穿孔フィルムを用いることができる。裏面シート３としては、合成樹脂製の液不透過性フィルムや、スパンボンド−メルトブローン−スパンボンド積層不織布等の耐水圧が高い撥水性の不織布を用いることができる。また、立体ガード形成用シート２ｂとしては、耐水圧が高い撥水性の不織布、例えば、スパンボンド−メルトブローン−スパンボンド積層不織布等を用いることができる。
【００３１】
また、吸収体４の吸収性コア４１は、パルプ繊維等の繊維材料のみからなるものであっても良いし、繊維材料と高吸水性ポリマーとの両者を含むものであっても良い。繊維材料としては、従来、生理用ナプキンやパンティライナー、使い捨ておむつ等の吸収性物品の吸収体に用いられている各種のものを特に制限なく用いることができ、例えば、パルプ繊維、レーヨン繊維、コットン繊維等のセルロース系繊維の短繊維や、ポリエチレン等の合成繊維の短繊維等が用いられる。これらの繊維は、１種を単独で又は２種以上を組み合わせて用いることができる。また、繊維材料は、全体又は一部がパルプ繊維であることが好ましく、繊維材料中のパルプ繊維の割合は５０〜１００質量％であることが好ましく、より好ましくは８０〜１００質量％であり、更に好ましくは１００質量％である。尚、吸収性コア４１には、高吸水性ポリマー以外に、消臭剤や抗菌剤等を必要に応じて配合しても良い。
また、吸収体４は、吸収性コア４１のみからなり、コアラップシートを有しないものであっても良い。
【００３２】
本実施形態のナプキン１は、エンボスロールとフラッとロールとを備えたエンボス装置の両ロール間で、表面シート及び吸収体の積層体を加圧して、上述した各圧搾溝を形成した後、それを他の構成部材と結合させることにより製造することができる。エンボスロールとしては、圧搾溝に対応する形状の凸条部を備えるとともに、その凸条部の上端面に、各高圧搾部の形状に対応する形状の凸部が更に突出したものを用いる。
【００３３】
以上、本発明をその好ましい実施形態に基づき説明したが、本発明は前記実施形態に制限されない。
例えば、上述した実施形態のナプキン１においては、図２に示すように、排泄部対向部Ｂにおける吸収性コア４１が、幅方向中央部に隆起した部分を有し、それによって、排泄部対向部Ｂにおける肌対向面の幅方向中央部に、着用者の肌側に向かって突出する隆起部１１が形成されており、その周囲を囲むように、一対の第１縦溝６ｓ，６ｓ、前方溝６ａ、中間横溝６ｃが形成されていたが、本発明の吸収性物品は、そのような隆起部１１を有しないものであっても良い。また、本発明の吸収性物品は、後部フラップを有しないものであっても良く、排泄部対向部Ｂの第１縦溝６ｓ，６ｓ以外の圧搾溝６、例えば、中間横溝６ｃや第２縦溝６’，６ｓ’を有しないものであっても良い。また、一対の第１縦溝６ｓ，６ｓは、前端及び後端の一方又は両方が、他の圧搾溝６と結合していないものであっても良い。
【００３４】
また、上述したナプキン１においては、前方部Ａ、後方部Ｃ及び中間横溝６ｃにおいては、図４に示すように、長円形状の高圧搾部６９が、その長軸方向を、ナプキン１の長手方向に向けて形成されている。しかし、本発明の吸収性物品においては、幅方向に延びる圧搾溝の構成について何ら制限はなく、幅方向に延びる圧搾溝は存在していても存在していなくても良い。
また、排泄部対向部Ｂの縦溝６ｓ，６ｓについても、例えば、図６に示すように、第１高圧搾部６１及び第２高圧搾部６２とともに、第１高圧搾部６１及び第２高圧搾部６２とは形状の異なる高圧搾部７０を設けても良い。具体的には、高圧搾部７０としては、真円状の第１高圧搾部６１，６１の間に、縦長の形状であり、かつ、縦方向をなす輪郭が外側に凸又は内側に凸の曲線で構成された形状が好ましい。図６に示すように、縦方向をなす輪郭の一方が外に凸の曲線であり、他方が内に凸の曲線であってもよい。
【００３５】
また、本発明の吸収性物品は、生理用ナプキンの他、パンティライナー（おりものシート）、失禁パッド、使い捨ておむつ等の他の吸収性物品であっても良い。上述した一の実施形態における説明省略部分及び一の実施形態のみが有する要件は、それぞれ他の実施形態に適宜適用することができ、また、各実施形態における要件は、適宜、実施形態間で相互に置換可能である
【００３６】
上述した実施形態に関し、本発明は更に以下の吸収性物品を開示する。
＜１＞  表面シート、裏面シート、及びこれら両シート間に位置する吸収体を備える吸収性物品であって、肌対向面に、前記表面シート及び前記吸収体が、非肌対向面側に向かって一体的に圧搾されてなる圧搾溝が形成されており、前記圧搾溝として、吸収性物品の長手方向に延びる中央線の両側それぞれに、吸収性物品の長手方向に沿って延びる縦溝を有しており、該縦溝は、底部に高圧搾部と該高圧搾部を囲繞する低圧搾部とを有しており、
前記高圧搾部は、真円形状の第１高圧搾部と、長軸及び短軸を有し該長軸の長さが第１高圧搾部の直径よりも長い形状の第２高圧搾部とを含み、前記第２高圧搾部は、その長軸が前記縦溝の幅方向と非平行となるように形成されている、吸収性物品。
＜２＞  前記第２高圧搾部は、その長軸と前記縦溝の長手方向中心線とが平行である、前記＜１＞記載の吸収性物品。
＜３＞  前記第１高圧搾部と前記第２圧搾部とが、前記縦溝の長手方向に交互に配置されている、前記＜１＞又は＜２＞に記載の吸収性物品。
＜４＞  前記縦溝において、前記高圧搾部の総面積が前記低圧搾部の総面積よりも小さい、前記＜１＞〜＜３＞の何れか１つに記載の吸収性物品。
＜５＞  高圧搾部の総面積は、低圧搾部の総面積に対して２０％以上９０％以下である、前記＜４＞記載の吸収性物品。
＜６＞  前記縦溝は、排泄部対向部に形成された一対の第１縦溝と、後方部に形成された一対の第２縦溝とを含んでなり、少なくとも該第１縦溝に前記第１高圧搾部と第２高圧搾部を備えている前記＜１＞〜＜５＞の何れか１つに記載の吸収性物品。
＜７＞  前記第１高圧搾部及び前記第２高圧搾部の間隔が１ｍｍ以上２０ｍｍ以下である、前記＜１＞〜＜７＞の何れか１つに記載の吸収性物品。
＜８＞  前記第２縦溝にも前記第１高圧搾部と前記第２高圧搾部を備えており、両者の間隔が前記第１縦溝における両者の間隔よりも狭い、前記＜６＞又は＜７＞に記載の吸収性物品。
＜９＞  前記吸収性物品の長手方向に沿う側部には着用者側に起立可能な立体ガードが備えられており、該立体ガードは、排泄部対向部において起立可能となっている、前記＜１＞〜＜８＞の何れか１つに記載の吸収性物品。
＜１０＞  前記立体ガードは後方部において、着用者側に起立しない非起立部分を備えている、前記＜１＞〜＜９＞の何れか１つに記載の吸収性物品。
【００３７】
＜１１＞  前記表面シート及び吸収体の合計厚みは、前記高圧搾部における厚みが、前記低圧搾部における厚みの１０％以上９０％以下である、前記＜１＞〜＜１０＞の何れか１つに記載の吸収性物品。
＜１２＞  前記表面シート及び吸収体の合計厚みは、前記高圧搾部における厚みが、前記圧搾溝に隣接する部位における厚みの２０％以上８０％以下である、前記＜１＞〜＜１１＞の何れか１つに記載の吸収性物品。
＜１３＞  前記第１高圧搾部は、ＪＩＳ  Ｂ  ０６２１−１９８４に定義された真円度を、該真円度を求める同心円のうちの最外周円の半径で割った値が０．２以下である、前記＜１＞〜＜１２＞の何れか１つに記載の吸収性物品。
＜１４＞  第１高圧搾部が長軸と短軸を有する形状であり、その比（長軸／短軸）Ｆ１が１．４以下である前記＜１＞〜＜１２＞の何れか１つに記載の吸収性物品。
＜１５＞  前記比Ｆ１と第２高圧搾部６２の比（長軸／短軸）Ｆ２との比Ｆ１／Ｆ２が０．５以下である前記＜１４＞記載の吸収性物品。
＜１６＞  高圧搾部は、圧搾溝に隣接する圧搾溝以外の部分までの最短距離が、圧搾溝の全幅の１５％以上４０％以下である前記＜１＞〜＜１５＞の何れか１つに記載の吸収性物品。
＜１７＞  前記第２高圧搾部は、輪郭が、曲線のみ、又は曲線及び直線からなり、輪郭に角部を有しない、前記＜１＞〜＜１６＞の何れか１つに記載の吸収性物品。
＜１８＞  前記第２高圧搾部は、長円状、楕円形又は長軸方向の一端が他端側より幅が急峻に狭まった形状鶏の卵様形状である、前記＜１７＞記載の吸収性物品。
＜１９＞  前記第２高圧搾部は、長軸の長さと短軸の長さの比（長軸／短軸）が１．５以上１０以下である、前記＜１＞〜１８＞の何れか１つに記載の吸収性物品。
＜２０＞  第２高圧搾部の長軸の長さは、第１高圧搾部の直径の１．１倍以上１０倍以下である、前記＜１＞〜＜１９＞の何れか記載の吸収性物品。
＜２１＞  前記排泄部対向部の縦溝に、前記第１高圧搾部及び前記第２高圧搾部とともに、第１高圧搾部及び第２高圧搾部とは形状の異なる高圧搾部を配する、前記＜１＞〜＜２０＞の何れか１つに記載の吸収性物品。
＜２２＞  排泄部対向部における吸収性体が、幅方向中央部に隆起した部分を有し、それによって、排泄部対向部における肌対向面の幅方向中央部に、着用者の肌側に向かって突出する隆起部が形成されており、その幅方向外側に一対の前記第１縦溝前方溝が配されている、前記＜１＞〜＜２１＞の何れか１つに記載の吸収性物品。
＜２３＞  前記吸収性物品が生理用ナプキンである、前記＜１＞〜＜２２＞の何れか１つに記載の吸収性物品。
＜２４＞  前記生理用ナプキンが全長３０ｃｍ以上である、前記＜２３＞記載の吸収性物品。
【符号の説明】
【００３８】
１  生理用ナプキン（吸収性物品）
２  肌側シート
２ａ  表面シート
２ｂ  立体ガード形成用シート
３  裏面シート
４  吸収体
４１  吸収性コア
５  吸収性本体
６  圧搾溝
６ｓ  縦溝（吸収性物品の縦方向に沿って延びる縦溝）
６ｓ’  第２縦溝
６ａ，６ｂ，６ｃ  横溝
６０  高圧搾部
６１  第１高圧搾部
６２  第２高圧搾部
６７  低圧搾部
７  ウイング部
８  後方フラップ部
１０  立体ガード
１２  後方隆起部
Ａ  前方部
Ｂ  液排泄部対向部
Ｃ  後方部
【図１】
2015097717.tif 000003
【図２】
2015097717.tif 000004
【図３】
2015097717.tif 000005
【図４】
2015097717.tif 000006
【図５】
2015097717.tif 000007
【図６】
2015097717.tif 000008